【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
ポリベンゾオキサジンスルフィドであって、その繰返し単位が、式（Ｉ）または（ＩＩ）に対応する少なくとも１個の単位を含む、前記ポリベンゾオキサジンスルフィド。
2020523459.tif 000001
（式中、２つのオキサジン環は、中央の芳香族基を介して一緒に接続されており、前記中央の芳香族基のベンゼン環は、１、２、３または４つの式−Ｓx−Ｒの基（式中、「ｘ」は１〜８の整数であり、Ｒは、水素を表すか、または１〜１０個の炭素原子を含み且つＯ、Ｓ、ＮおよびＰから選択されるヘテロ原子を含んでもよい炭化水素ベースの基を表す）を保持しており、且つ前記中央の芳香族基のベンゼン環は、−Ｓx−Ｒ以外の置換基を更に保持していてもよい）
【請求項２】
中央のベンゼン環が、式−Ｓx−Ｒの２つの基を保持する、請求項１に記載のポリベンゾオキサジン。
【請求項３】
式−Ｓx−Ｒの２つの基が、互いに対して、中央のベンゼン環上のメタ位にある、請求項２に記載のポリベンゾオキサジン。
【請求項４】
「ｘ」が１〜４の範囲にあり、好ましくは１または２と等しい、請求項１から３のいずれか１項に記載のポリベンゾオキサジン。
【請求項５】
繰返し単位が、式（Ｉ−ビス）または（ＩＩ−ビス）に対応する少なくとも１個の単位を含む、請求項１に記載のポリベンゾオキサジン。
2020523459.tif 000002
（式中、２つのオキサジン環は、中央の芳香族基を介して一緒に接続されており、前記中央の芳香族基のベンゼン環は、１、２、３または４つの式−Ｓx−Ｒの基（式中、「ｘ」は１〜８の整数であり、Ｒは、水素を表すか、または１〜１０個の炭素原子を含み且つＯ、Ｓ、ＮおよびＰから選択されるヘテロ原子を含んでもよい炭化水素ベースの基を表す）を保持しており、且つ前記中央の芳香族基のベンゼン環は、−Ｓx−Ｒ以外の置換基を更に保持していてもよい）
【請求項６】
繰返し単位が、式（Ｉ−ａ）または（ＩＩ−ａ）に対応する少なくとも１個の単位を含む、請求項５に記載のポリベンゾオキサジン。
2020523459.tif 000003
（式中、２つのオキサジン環は、中央の芳香族基を介して一緒に接続されており、前記中央の芳香族基のベンゼン環は、１、２、３または４つの式−Ｓx−Ｒの基（式中、「ｘ」は１〜８の整数であり、Ｒは、水素を表すか、または１〜１０個の炭素原子を含み且つＯ、Ｓ、ＮおよびＰから選択されるヘテロ原子を含んでもよい炭化水素ベースの基を表す）を保持しており、且つ前記中央の芳香族基のベンゼン環は、−Ｓx−Ｒ以外の置換基を更に保持していてもよい）
【請求項７】
繰返し単位が、式（Ｉ−ａ−１）、（Ｉ−ｂ−１）、（ＩＩ−ａ−１）または（ＩＩ−ｂ−１）に対応する少なくとも１個の単位を含む、請求項６に記載のポリベンゾオキサジン。
2020523459.tif 000004
【請求項８】
繰返し単位が、以下の式（Ｉ−１）または（ＩＩ−１）の少なくとも１つに対応する、請求項１に記載のポリベンゾオキサジン。
2020523459.tif 000005
（式中、
−  ２つのオキサジン環は、それらの間にある芳香族基を介して一緒に接続されており、前記芳香族基のベンゼン環は、１、２、３または４つの式−Ｓx−Ｒの基（式中、「ｘ」は１〜８の整数であり、Ｒは、水素を表すか、または１〜１０個の炭素原子を含み且つＯ、Ｓ、ＮおよびＰから選択されるヘテロ原子を含んでもよい炭化水素ベースの基を表す）を保持しており、且つ前記芳香族基のベンゼン環は、−Ｓx−Ｒ以外の置換基を更に保持していてもよく、
−  Ｘ1およびＸ2は、同じでも異なっていてもよく、ＯまたはＳを表し、
−  Ａｒ1およびＡｒ2は、同じでも異なっていてもよく、芳香族基を表し、好ましくはフェニレンを表し、
−  Ｚは、Ｏまたは（Ｓ）nを表し、記号「ｎ」は１以上の整数を表す）
【請求項９】
繰返し単位が、以下の式（Ｉ−１ビス）または（ＩＩ−１ビス）の少なくとも１つに対応する、請求項８に記載のポリベンゾオキサジン。
2020523459.tif 000006
（式中、
−  ２つのオキサジン環は、それらの間にある芳香族基を介して一緒に接続されており、前記芳香族基のベンゼン環は、１、２、３または４つの式−Ｓx−Ｒの基（式中、「ｘ」は１〜８の整数であり、Ｒは、水素を表すか、または１〜１０個の炭素原子を含み且つＯ、Ｓ、ＮおよびＰから選択されるヘテロ原子を含んでもよい炭化水素ベースの基を表す）を保持しており、且つ前記芳香族基のベンゼン環は、−Ｓx−Ｒ以外の置換基を更に保持していてもよく、
−  Ｘ1およびＸ2は、同じでも異なっていてもよく、ＯまたはＳを表し、
−  Ａｒ1およびＡｒ2は、同じでも異なっていてもよく、芳香族基を表し、好ましくはフェニレンを表し、
−  Ｚは、Ｏまたは（Ｓ）nを表し、記号「ｎ」は１以上の整数を表す）
【請求項１０】
少なくともその表面が少なくとも部分的に金属性であり、少なくとも前記金属性部分が、請求項１から９のいずれか１項に記載のポリベンゾオキサジンでコーティングされている、基材。
【手続補正２】
【補正対象書類名】明細書
【補正対象項目名】００６５
【補正方法】変更
【補正の内容】
【００６５】
さらに、これは、本発明の文書の序文に記載されている他の公知のポリマーと比較して、著しい利点を構成する、つまり、本発明のポリベンゾオキサジンは、高温で、これらのオキサジン環を開環し、よって熱硬化性ポリフェノールの樹脂構造を付与する注目すべき能力を有する。これは、ポリマーにより良い加熱安定性を付与する。最後に、これらの特定のミクロ構造は、非常に有利なことに、標的とする特定の用途により、分子の柔軟性を調節することを可能にする。  本発明のまた別の態様は、以下のとおりであってもよい。
〔１〕繰返し単位が、式（Ｉ）または（ＩＩ）に対応する少なくとも１個の単位を含む、ポリベンゾオキサジンスルフィド。
2020523459.tif 000007
（式中、２つのオキサジン環は、中央の芳香族基を介して一緒に接続されており、そのベンゼン環は、１、２、３または４つの式−Ｓx−Ｒの基（式中、「ｘ」は１〜８の整数であり、Ｒは、水素、または１〜１０個の炭素原子を含み、ならびにＯ、Ｓ、ＮおよびＰから選択されるヘテロ原子を含んでもよい炭化水素ベースの基を表す）を保持する）
〔２〕中央のベンゼン環が、式−Ｓx−Ｒの２つの基を保持する、前記〔１〕に記載のポリベンゾオキサジン。
〔３〕式−Ｓx−Ｒの２つの基が、互いに対して、中央のベンゼン環上のメタ位にある、前記〔２〕に記載のポリベンゾオキサジン。
〔４〕「ｘ」が１〜４の範囲にあり、好ましくは１または２と等しい、前記〔１〕から〔３〕のいずれか１項に記載のポリベンゾオキサジン。
〔５〕Ｒが好ましくは１〜５個の炭素原子を含有するアルキルである、前記〔１〕から〔４〕のいずれか１項に記載のポリベンゾオキサジン。
〔６〕Ｒが、メチルまたはエチルを表し、好ましくはメチルを表す、前記〔５〕に記載のポリベンゾオキサジン。
〔７〕「ｘ」が１と等しく、Ｒがメチルを表す、前記〔４〕および〔６〕に記載のポリベンゾオキサジン。
〔８〕繰返し単位が、式（Ｉ−ビス）または（ＩＩ−ビス）に対応する少なくとも１個の単位を含む、前記〔１〕から〔７〕のいずれか１項に記載のポリベンゾオキサジン。
2020523459.tif 000008
〔９〕繰返し単位が、式（Ｉ−ａ）または（ＩＩ−ａ）に対応する少なくとも１個の単位を含む、前記〔８〕に記載のポリベンゾオキサジン。
2020523459.tif 000009
〔１０〕繰返し単位が、式（Ｉ−ａ−１）、（Ｉ−ｂ−１）、（ＩＩ−ａ−１）または（ＩＩ−ｂ−１）に対応する少なくとも１個の単位を含む、前記〔９〕に記載のポリベンゾオキサジン。
2020523459.tif 000010
〔１１〕繰返し単位が、以下の式（Ｉ−１）または（ＩＩ−１）の少なくとも１つに対応する、前記〔１〕から〔１０〕のいずれか１項に記載のポリベンゾオキサジン。
2020523459.tif 000011
（式中、
−  Ｘ1およびＸ2は、同じでも異なっていてもよく、ＯまたはＳを表し、
−  Ａｒ1およびＡｒ2は、同じでも異なっていてもよく、芳香族基を表し、好ましくはフェニレンを表し、
−  Ｚは、Ｏまたは（Ｓ）nを表し、記号「ｎ」は１以上の整数を表す）
〔１２〕繰返し単位が、以下の式（Ｉ−１ビス）または（ＩＩ−１ビス）の少なくとも１つに対応する、前記〔１１〕に記載のポリベンゾオキサジン。
2020523459.tif 000012
〔１３〕少なくともその表面が少なくとも部分的に金属性である基材に対するポリマーコーティングとしての、前記〔１〕から〔１２〕のいずれか１項に記載のポリベンゾオキサジンの使用。
〔１４〕基材をゴムに接着接合するための、前記〔１３〕に記載の使用。
〔１５〕少なくともその表面が少なくとも部分的に金属性であり、少なくとも前記金属性部分が、前記〔１〕から〔１２〕のいずれか１項に記載のポリベンゾオキサジンでコーティングされている、基材。
〔１６〕スチールで作製される、好ましくはカーボンスチールで作製される、前記〔１５〕に記載の基材。
〔１７〕スチールがブライトスチールである、前記〔１６〕に記載の基材。
〔１８〕スチールが、アルミニウム、銅、亜鉛およびこれらの金属の少なくとも１種の合金からなる群から選択される、表面金属と呼ばれる第２の金属の少なくとも１つの層で少なくとも部分的にコーティングされている、前記〔１６〕に記載の基材。
〔１９〕表面金属が黄銅である、前記〔１８〕に記載の基材。